(57)【特許請求の範囲】
【請求項１】
データ伝送方式を決定するための方法であって、前記方法は、
基地局から送信された無線信号を受信する無線データ端末によって前記無線データ端末の第1の環境品質情報を取得するステップであって、前記第1の環境品質情報は、前記無線データ端末が位置する無線環境の品質を測定するために使用される関連情報であり、前記第1の環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む、ステップと、
前記無線データ端末によって少なくとも2つの候補データ伝送方式から、前記第1の環境品質情報に対応する第1のデータ伝送方式を決定するステップであって、前記少なくとも2つの候補データ伝送方式の各々は、ユーザ機器と通信するために使用されるパラメータを含む、ステップと、
前記ユーザ機器と通信するために、前記無線データ端末によって前記第1のデータ伝送方式を使用するステップと
を含む、方法。
【請求項２】
前記ユーザ機器と通信するために、前記無線データ端末によって前記第1のデータ伝送方式を使用する前記ステップが、
前記第1のデータ伝送方式が前記無線データ端末によって現在使用されているデータ伝送方式と同じであるかどうかを決定するステップ、および、
前記第1のデータ伝送方式が前記無線データ端末によって現在使用されている前記データ伝送方式と同じである場合、前記現在使用されているデータ伝送方式を変更しないで維持するステップ、または
前記第1のデータ伝送方式が前記無線データ端末によって現在使用されている前記データ伝送方式と異なる場合、前記ユーザ機器と通信するために前記第1のデータ伝送方式を使用するステップ
を含む、請求項1に記載の方法。
【請求項３】
無線データ端末によって第1の環境品質情報を取得する前記ステップが、
データ伝送方式再構成タイマがタイムアウトすると、前記無線データ端末によって前記第1の環境品質情報を取得するステップであって、前記第1の環境品質情報を取得する必要がある時間を決定するために前記データ伝送方式再構成タイマが使用される、ステップ
を含み、
データ伝送方式再構成タイマがタイムアウトすると、前記無線データ端末によって前記第1の環境品質情報を取得する前記ステップは、
前記第1の環境品質情報を取得すると、前記無線データ端末によって前記データ伝送方式再構成タイマを再起動するステップ、または、
前記少なくとも2つの候補データ伝送方式から、前記第1の環境品質情報に対応する前記第1のデータ伝送方式を決定すると、前記無線データ端末によって前記データ伝送方式再構成タイマを再起動するステップ
を具体的に含む、請求項1または2に記載の方法。
【請求項４】
無線データ端末によって第1の環境品質情報を取得する前記ステップが、
前記ユーザ機器から送信されたデータ伝送方式再構成要求を受信すると、前記無線データ端末によって前記第1の環境品質情報を取得するステップ
を含む、請求項1または2に記載の方法。
【請求項５】
前記ユーザ機器と通信するために、前記無線データ端末によって前記第1のデータ伝送方式を使用する前記ステップが、ユニバーサルシリアルバスUSBインタフェースを介して前記ユーザ機器と通信するために、前記無線データ端末によって前記第1のデータ伝送方式を使用するステップを含み、
前記少なくとも2つの候補データ伝送方式の各々は、高速インターネットプロトコルFast IPを有効にするかどうかに関する指示、USB集約パケットサイズ、またはUSBパケット伝送タイムアウトタイマの閾値のうちの少なくとも1つのパラメータを含む、
請求項1から4のいずれか一項に記載の方法。
【請求項６】
前記ユーザ機器と通信するために、前記無線データ端末によって前記第1のデータ伝送方式を使用する前記ステップが、前記無線データ端末によってワイヤレスフィデリティWi−FiアクセスポイントAPインタフェースを介して前記ユーザ機器と通信するステップを含み、前記少なくとも2つの候補データ伝送方式の各々は、Fast IPを有効にするかどうかに関する指示、またはWi−Fi集約媒体アクセス制御サービスデータユニットAMPDUのウィンドウサイズのうちの少なくとも一方のパラメータを含む、請求項1から4のいずれか一項に記載の方法。
【請求項７】
無線データ端末によって前記第1の環境品質情報を取得する前記ステップの前に、前記方法は、
前記無線データ端末が起動し、前記ユーザ機器と通信するためにデフォルトのデータ伝送方式を使用するステップであって、前記デフォルトのデータ伝送方式は前記少なくとも2つの候補データ伝送方式に属する、ステップ
をさらに含む、請求項1から6のいずれか一項に記載の方法。
【請求項８】
基地局から送信された無線信号を受信する無線データ端末装置であって、前記装置は、
前記無線データ端末装置の第1の環境品質情報を取得するように構成された取得ユニットであって、前記第1の環境品質情報は、前記無線データ端末装置が位置する無線環境の品質を測定するために使用される関連情報であり、前記第1の環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む、取得ユニットと、
少なくとも2つの候補データ伝送方式から、前記第1の環境品質情報に対応する第1のデータ伝送方式を決定するように構成された決定ユニットであって、前記少なくとも2つの候補データ伝送方式の各候補データ伝送方式は、ユーザ機器と通信するために使用されるパラメータを含む、決定ユニットと、
前記ユーザ機器と通信するために前記第1のデータ伝送方式を使用するように構成されたユーザ向け通信ユニットと
を備える、装置。
【請求項９】
前記決定ユニットが、前記第1のデータ伝送方式が、前記ユーザ向け通信ユニットによって現在使用されているデータ伝送方式と同じであるかどうかを決定し、
前記第1のデータ伝送方式が前記ユーザ向け通信ユニットによって現在使用されている前記データ伝送方式と同じである場合、前記ユーザ向け通信ユニットが前記現在使用されているデータ伝送方式を変更しないで維持すると決定し、または
前記第1のデータ伝送方式が前記ユーザ向け通信ユニットによって現在使用されている前記データ伝送方式と異なる場合、前記ユーザ向け通信ユニットが前記ユーザ機器と通信するために前記第1のデータ伝送方式を使用することを決定する
ようにさらに構成される、請求項8に記載の装置。
【請求項１０】
前記装置が、前記無線データ端末装置の起動時にタイミングを開始するように構成されたデータ伝送方式再構成タイミングユニットをさらに備え、
前記取得ユニットは、前記データ伝送方式再構成タイミングユニットがタイムアウトすると、前記第1の環境品質情報を取得するように具体的に構成され、
前記データ伝送方式再構成タイミングユニットは、前記取得ユニットが前記第1の環境品質情報を取得すると再起動する、または前記決定ユニットが前記少なくとも2つの候補データ伝送方式から、前記第1の環境品質情報に対応する前記第1のデータ伝送方式を決定すると再起動するようにさらに構成される、
請求項8または9に記載の装置。
【請求項１１】
前記装置が、前記ユーザ機器から送信されたデータ伝送方式再構成要求を受信するように構成された受信ユニットをさらに備え、
前記取得ユニットは、前記受信ユニットが前記データ伝送方式再構成要求を受信すると、前記第1の環境品質情報を取得するように具体的に構成される、
請求項8または9に記載の装置。
【請求項１２】
前記ユーザ向け通信ユニットがユニバーサルシリアルバスUSBインタフェースユニットを備え、前記少なくとも2つの候補データ伝送方式の各々は、高速インターネットプロトコルFast IPを有効にするかどうかに関する指示、USB集約パケットサイズ、またはUSBパケット伝送タイムアウトタイマの閾値のうちの少なくとも1つのパラメータを含む、請求項8から11いずれか一項に記載の装置。
【請求項１３】
前記ユーザ向け通信ユニットがワイヤレスフィデリティWi−FiアクセスポイントAPインタフェースユニットを備え、前記少なくとも2つの候補データ伝送方式の各々は、Fast IPを有効にするかどうかに関する指示、またはWi−Fi集約媒体アクセス制御サービスデータユニットAMPDUのウィンドウサイズのうちの少なくとも一方のパラメータを含む、請求項8から12のいずれか一項に記載の装置。
【請求項１４】
前記決定ユニットが、前記無線データ端末装置が起動することを決定し、前記ユーザ向け通信ユニットが前記ユーザ機器と通信するためにデフォルトのデータ伝送方式を使用することを決定するようにさらに構成され、前記デフォルトのデータ伝送方式は前記少なくとも2つの候補データ伝送方式に属する、請求項8から13のいずれか一項に記載の装置。
【請求項１５】
命令がコンピュータによって実行されたときに、前記命令が請求項1から7のいずれか一項に記載の方法を実行させる、前記命令を含むコンピュータ可読記憶媒体。
【発明の詳細な説明】
【技術分野】
【０００１】
本発明の実施形態は、通信技術の分野に関し、特に、データ伝送方式を決定するための方法および装置に関する。
【背景技術】
【０００２】
無線データ端末装置は、モバイルブロードバンド（Mobile Broadband、略してMBB）装置とも呼ばれる。これは、ポータブル（Wireless Fidelity、略してWi−Fi）装置または無線データカード装置であってもよい。具体的には、無線データ端末装置は、基地局から送信された無線信号（例えば、LTEネットワーク信号やUMTSネットワーク信号）を受信し、基地局から送信された信号をユーザ機器のインターネットアクセスに使用される信号に変換することができる。
【０００３】
従来技術では、無線データ端末装置とユーザエンドインターネット装置（ユーザ機器とも呼ばれる）との間の通信に使用されるデータ伝送方式は固定されている。しかしながら、無線データ端末装置が位置する無線ネットワーク環境は複雑である。無線データ端末装置が異なる場所にあるとき、無線環境は変化する。無線データ端末装置は、いつでもデータ伝送方式を調整することができるわけではない。したがって、ユーザ体験が影響を受ける。
【発明の概要】
【課題を解決するための手段】
【０００４】
本発明の実施形態は、無線データ端末装置が無線環境の変化に応じて使用されるデータ伝送方式を調整してユーザ体験を向上させることができるようにデータ伝送方式を決定するための方法および装置を提供する。
【０００５】
第1の態様によれば、データ伝送方式を決定する方法が提供され、この方法は、無線データ端末によって無線データ端末の第1の環境品質情報を取得するステップと、無線データ端末によって少なくとも2つの候補データ伝送方式から、第1の環境品質情報に対応する第1のデータ伝送方式を決定するステップであって、少なくとも2つの候補データ伝送方式の各々は、ユーザ機器と通信するために使用されるパラメータを含む、ステップと、ユーザ機器と通信するために無線データ端末によって第1のデータ伝送方式を使用するステップと、を含む。
【０００６】
第1の態様を参照すると、第1の態様の第1の可能な実施態様において、ユーザ機器と通信するために無線データ端末によって第1のデータ伝送方式を使用するステップは、第1のデータ伝送方式が無線データ端末装置によって現在使用されているデータ伝送方式と同じであるかどうかを決定するステップ、および、第1のデータ伝送方式が無線データ端末装置によって現在使用されているデータ伝送方式と同じである場合、現在使用されているデータ伝送方式を変更しないで維持するステップ、または第1のデータ伝送方式が無線データ端末装置によって現在使用されているデータ伝送方式と異なる場合、ユーザ機器と通信するために第1のデータ伝送方式を使用するステップを含む。
【０００７】
第1の態様または第1の態様の第1の可能な実施態様を参照すると、第1の態様の第2の可能な実施態様において、無線データ端末によって第1の環境品質情報を取得するステップは、データ伝送方式再構成タイマがタイムアウトすると、無線データ端末装置によって第1の環境品質情報を取得するステップであって、第1の環境品質情報を取得する必要がある時間を決定するためにデータ伝送方式再構成タイマが使用される、ステップを含み、データ伝送方式再構成タイマがタイムアウトすると、無線データ端末によって第1の環境品質情報を取得するステップは、第1の環境品質情報を取得すると、無線データ端末によってデータ伝送方式再構成タイマを再起動するステップ、または、少なくとも2つの候補データ伝送方式から、第1の環境品質情報に対応する第1のデータ伝送方式を決定すると、無線データ端末によってデータ伝送方式再構成タイマを再起動するステップを具体的に含む。
【０００８】
第1の態様または第1の態様の第1の可能な実施態様を参照すると、第1の態様の第3の可能な実施態様において、無線データ端末によって第1の環境品質情報を取得するステップは、ユーザ機器から送信されたデータ伝送方式再構成要求を受信すると、無線データ端末によって第1の環境品質情報を取得するステップを含む。
【０００９】
第1の態様または第1の態様の前述の可能な実施態様のいずれかを参照すると、第1の態様の第4の可能な実施態様において、環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【００１０】
第1の態様または第1の態様の前述の可能な実施態様のいずれかを参照すると、第1の態様の第5の可能な実施態様において、ユーザ機器と通信するために無線データ端末によって第1のデータ伝送方式を使用するステップは、ユニバーサルシリアルバスUSBインタフェースを介してユーザ機器と通信するために、無線データ端末によって第1のデータ伝送方式を使用するステップを含み、少なくとも2つの候補データ伝送方式の各々は、高速インターネットプロトコルFast IPを有効にするかどうかに関する指示、USB集約パケットサイズ、またはUSBパケット伝送タイムアウトタイマの閾値のうちの少なくとも1つのパラメータを含む。
【００１１】
第1の態様または第1の態様の第1〜第4の可能な実施態様のいずれかを参照すると、第1の態様の第6の可能な実施態様において、ユーザ機器と通信するために無線データ端末によって第1のデータ伝送方式を使用するステップは、無線データ端末装置によってワイヤレスフィデリティWi−FiアクセスポイントAPインタフェースを介してユーザ機器と通信するステップを含み、少なくとも2つの候補データ伝送方式の各々は、Fast IPを有効にするかどうかに関する指示、またはWi−Fi集約媒体アクセス制御サービスデータユニットAMPDUのウィンドウサイズのうちの少なくとも一方のパラメータを含む。
【００１２】
第1の態様または第1の態様の前述の可能な実施態様のいずれかを参照すると、第1の態様の第7の可能な実施態様において、無線データ端末装置によって第1の環境品質情報を取得するステップの前に、方法は、無線データ端末が起動し、ユーザ機器と通信するためにデフォルトのデータ伝送方式を使用するステップであって、デフォルトのデータ伝送方式は少なくとも2つの候補データ伝送方式に属する、ステップをさらに含む方法。
【００１３】
第2の態様によれば、無線データ端末装置が提供され、装置は、無線データ端末装置の第1の環境品質情報を取得するように構成された取得ユニットと、少なくとも2つの候補データ伝送方式から、第1の環境品質情報に対応する第1のデータ伝送方式を決定するように構成された決定ユニットであって、少なくとも2つの候補データ伝送方式の各々は、ユーザ機器と通信するために使用されるパラメータを含む、決定ユニットと、ユーザ機器と通信するために第1のデータ伝送方式を使用するように構成されたユーザ向け通信ユニットと、を含む。
【００１４】
第2の態様を参照すると、第2の態様の第1の可能な実施態様において、決定ユニットは、第1のデータ伝送方式がユーザ向け通信ユニットによって現在使用されているデータ伝送方式と同じであるかどうかを決定し、第1のデータ伝送方式がユーザ向け通信ユニットによって現在使用されているデータ伝送方式と同じである場合、ユーザ向け通信ユニットが現在使用されているデータ伝送方式を変更しないで維持すると決定し、または第1のデータ伝送方式がユーザ向け通信ユニットによって現在使用されているデータ伝送方式と異なる場合、ユーザ向け通信ユニットがユーザ機器と通信するために第1のデータ伝送方式を使用することを決定するようにさらに構成される。
【００１５】
第2の態様または第2の態様の第1の可能な実施態様を参照すると、第2の態様の第2の可能な実施態様において、装置は、無線データ端末装置の起動時にタイミングを開始するように構成されたデータ伝送方式再構成タイミングユニットをさらに含み、取得ユニットは、データ伝送方式再構成タイミングユニットがタイムアウトすると、第1の環境品質情報を取得するように具体的に構成され、データ伝送方式再構成タイミングユニットは、取得ユニットが第1の環境品質情報を取得すると再起動する、または決定ユニットが少なくとも2つの候補データ伝送方式から、第1の環境品質情報に対応する第1のデータ伝送方式を決定すると再起動するようにさらに構成される。
【００１６】
第2の態様または第2の態様の第1の可能な実施態様を参照すると、第2の態様の第3の可能な実施態様において、装置は、ユーザ機器から送信されたデータ伝送方式再構成要求を受信するように構成された受信ユニットをさらに含み、取得ユニットは、受信ユニットがデータ伝送方式再構成要求を受信すると、第1の環境品質情報を取得するように具体的に構成される。
【００１７】
第2の態様または第2の態様の前述の可能な実施態様のいずれかを参照すると、第2の態様の第4の可能な実施態様において、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【００１８】
第2の態様または第2の態様の前述の可能な実施態様のいずれかを参照すると、第2の態様の第5の可能な実施態様において、ユーザ向け通信ユニットは、ユニバーサルシリアルバスUSBインタフェースユニットを含み、少なくとも2つの候補データ伝送方式の各々は、高速インターネットプロトコルFast IPを有効にするかどうかに関する指示、USB集約パケットサイズ、またはUSBパケット伝送タイムアウトタイマの閾値のうちの少なくとも1つのパラメータを含む。
【００１９】
第2の態様または第2の態様の第1〜第4の可能な実施態様のいずれかを参照すると、第2の態様の第6の可能な実施態様において、ユーザ向け通信ユニットは、ワイヤレスフィデリティWi−FiアクセスポイントAPインタフェースユニットを含み、少なくとも2つの候補データ伝送方式の各々は、Fast IPを有効にするかどうかに関する指示、またはWi−Fi集約媒体アクセス制御サービスデータユニットAMPDUのウィンドウサイズのうちの少なくとも一方のパラメータを含む。
【００２０】
第2の態様または第2の態様の前述の可能な実施態様のいずれかを参照すると、第2の態様の第7の可能な実施態様において、決定ユニットは、無線データ端末が起動することを決定し、ユーザ向け通信ユニットがユーザ機器と通信するためにデフォルトのデータ伝送方式を使用することを決定するようにさらに構成され、デフォルトのデータ伝送方式は少なくとも2つの候補データ伝送方式に属する。
【００２１】
第3の態様によれば、無線データ端末装置が提供され、装置は、無線データ端末装置の第1の環境品質情報を取得するように構成されたプロセッサであって、プロセッサは、少なくとも2つの候補データ伝送方式から、第1の環境品質情報に対応する第1のデータ伝送方式を決定するようにさらに構成され、少なくとも2つの候補データ伝送方式の各候補データ伝送方式は、ユーザ機器と通信するために使用されるパラメータを含む、プロセッサと、ユーザ機器と通信するために第1のデータ伝送方式を使用するように構成されたユーザ向け通信インタフェースと、を含む。
【００２２】
第3の態様を参照すると、第3の態様の第1の可能な実施態様において、プロセッサは、第1のデータ伝送方式が、ユーザ向け通信インタフェースによって現在使用されているデータ伝送方式と同じであるかどうかを決定し、第1のデータ伝送方式がユーザ向け通信インタフェースによって現在使用されているデータ伝送方式と同じである場合、ユーザ向け通信インタフェースが現在使用されているデータ伝送方式を変更しないで維持すると決定し、または第1のデータ伝送方式が、ユーザ向け通信インタフェースによって現在使用されているデータ伝送方式と異なる場合、ユーザ向け通信インタフェースがユーザ機器と通信するために第1のデータ伝送方式を使用することを決定するようにさらに構成される。
【００２３】
第3の態様を参照すると、第3の態様の第2の可能な実施態様において、装置は、無線データ端末装置の起動時にタイミングを開始するように構成されたデータ伝送方式再構成タイマをさらに含み、プロセッサは、データ伝送方式再構成タイマがタイムアウトすると、第1の環境品質情報を取得するように具体的に構成され、データ伝送方式再構成タイマは、プロセッサが第1の環境品質情報を取得すると再起動する、またはプロセッサが少なくとも2つの候補データ伝送方式から、第1の環境品質情報に対応する第1のデータ伝送方式を決定すると再起動するようにさらに構成される。
【００２４】
第3の態様または第3の態様の第1の可能な実施態様を参照すると、第3の態様の第3の可能な実施態様において、装置は、ユーザ機器から送信されたデータ伝送方式再構成要求を受信するように構成されたトランシーバ回路をさらに含み、プロセッサは、トランシーバ回路がデータ伝送方式再構成要求を受信すると、第1の環境品質情報を取得するように具体的に構成される。
【００２５】
第3の態様または第3の態様の前述の可能な実施態様のいずれかを参照すると、第3の態様の第4の可能な実施態様において、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【００２６】
第3の態様または第3の態様の前述の可能な実施態様のいずれかを参照すると、第3の態様の第5の可能な実施態様において、ユーザ向け通信インタフェースは、ユニバーサルシリアルバスUSBインタフェースを含み、少なくとも2つの候補データ伝送方式の各々は、高速インターネットプロトコルFast IPを有効にするかどうかに関する指示、USB集約パケットサイズ、またはUSBパケット伝送タイムアウトタイマの閾値のうちの少なくとも1つのパラメータを含む。
【００２７】
第3の態様または第3の態様の第1〜第4の可能な実施態様のいずれかを参照すると、第3の態様の第6の可能な実施態様において、ユーザ向け通信インタフェースは、ワイヤレスフィデリティWi−FiアクセスポイントAPインタフェースユニットを含み、少なくとも2つの候補データ伝送方式の各々は、Fast IPを有効にするかどうかに関する指示、またはWi−Fi集約媒体アクセス制御サービスデータユニットAMPDUのウィンドウサイズのうちの少なくとも一方のパラメータを含む。
【００２８】
第3の態様または第3の態様の前述の可能な実施態様のいずれかを参照すると、第3の態様の第7の可能な実施態様において、プロセッサは、無線データ端末が起動することを決定し、ユーザ向け通信インタフェースがユーザ機器と通信するためにデフォルトのデータ伝送方式を使用することを決定するようにさらに構成され、デフォルトのデータ伝送方式は少なくとも2つの候補データ伝送方式に属する。
【００２９】
上記の技術的解決策において、無線データ端末装置は、無線環境品質に応じて適切なデータ伝送方式を選択して、ユーザ機器と通信することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【００３０】
より明確に本発明の実施形態における技術的解決策を説明するために、本発明の実施形態を説明するために必要な添付の図面を以下に簡単に説明する。明らかに、以下の説明において添付の図面は、本発明のいくつかの実施形態を単に示しており、当業者は、創造的な取り組みをすることなく、これらの添付図面から他の図面をさらに導き出すことが可能である。
【図面の簡単な説明】
【００３１】
【図１】本発明の一実施形態によるデータ伝送方式を決定するための方法の概略フローチャートである。
【図２】本発明の一実施形態によるデータ伝送方式を決定するための別の方法の概略フローチャートである。
【図３】本発明の一実施形態によるデータ伝送方式を決定するための別の方法の概略フローチャートである。
【図４】本発明の一実施形態による無線データ端末装置の構成ブロック図である。
【図５】本発明の一実施形態による他の無線データ端末装置の構成ブロック図である。
【図６】本発明の一実施形態による他の無線データ端末装置の構成ブロック図である。
【図７】本発明の一実施形態による無線データ端末装置の構成ブロック図である。
【図８】本発明の一実施形態による他の無線データ端末装置の構成ブロック図である。
【図９】本発明の一実施形態による他の無線データ端末装置の構成ブロック図である。
【発明を実施するための形態】
【００３２】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００３３】
本発明の実施形態の技術的解決策は、グローバル・システム・フォー・モバイル・コミュニケーションズ（Global System of Mobile communication、略してGSM(登録商標)）システム、符号分割多元接続（Code Division Multiple Access、略してCDMA）システム、広帯域符号分割多元接続（Wideband Code Division Multiple Access、略してWCDMA(登録商標)）システム、汎用パケット無線サービス（General Packet Radio Service、略してGPRS）ロングタームエボリューション（Long Term Evolution、略してLTE）システム、LTE周波数分割複信（Frequency Division Duplex、略してFDD）システム、LTE時分割複信（Time Division Duplex、略してTDD）、ユニバーサル移動体通信システム（Universal Mobile Telecommunication System、略してUMTS）などの様々な通信システムに適用され得る。
【００３４】
モバイル端末（Mobile Terminal、略してMT）、モバイルユーザ機器などとも呼ばれるユーザ機器（User Equipment、略してUE）は、有線または無線方式でインターネットにアクセスすることができる装置である。ユーザ機器は、モバイル端末、例えば携帯電話（または「セルラー」電話と呼ばれる）、またはモバイル端末を有するコンピュータであってもよい。例えば、ユーザ機器は、携帯型、ポケットサイズ、ハンドヘルド型、コンピュータ内蔵型、もしくは車載のモバイル装置であってもよく、またはデスクトップコンピュータなどのユーザによるインターネットアクセスに使用できる装置であってもよい。
【００３５】
基地局は、GSMまたはCDMAにおける基地トランシーバ局（Base Transceiver Station、略してBTS）であってもよく、WCDMAにおけるノードB（NodeB）であってもよく、またはLTEにおけるeNBまたはe−NodeBであってもよい。これは、本発明においては限定されない。
【００３６】
図1は、本発明の一実施形態によるデータ伝送方式を決定するための方法の概略フローチャートである。
【００３７】
101．無線データ端末装置が、第1の環境品質情報を取得する。
【００３８】
102．無線データ端末装置は、少なくとも2つの候補データ伝送方式から、第1の環境品質情報に対応する第1のデータ伝送方式を決定し、少なくとも2つの候補データ伝送方式の各々は、ユーザ機器と通信するために使用されるパラメータを含む。
【００３９】
103．無線データ端末は、ユーザ機器と通信するために第1のデータ伝送方式を使用する。
【００４０】
図1に示す方法によれば、無線データ端末装置は、無線環境品質に応じて適切なデータ伝送方式を選択して、ユーザ機器と通信することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【００４１】
任意選択で、一実施形態では、無線データ端末がユーザ機器と通信するために第1のデータ伝送方式を使用することは、第1のデータ伝送方式が無線データ端末装置によって現在使用されているデータ伝送方式と同じであるかどうかを決定するステップ、および、第1のデータ伝送方式が無線データ端末装置によって現在使用されているデータ伝送方式と同じである場合、現在使用されているデータ伝送方式を変更しないで維持するステップ、または第1のデータ伝送方式が無線データ端末装置によって現在使用されているデータ伝送方式と異なる場合、第1のデータ伝送方式を使用してユーザ機器と通信するステップを含む。
【００４２】
任意選択で、別の実施形態では、無線データ端末は、現在使用されているデータ伝送方式と第1のデータ伝送方式とを比較することなく、ユーザ機器と通信するために第1のデータ伝送方式を使用することをさらに直接決定することができる。
【００４３】
任意選択で、一実施形態では、無線データ端末装置が第1の環境品質情報を取得することは、データ伝送方式再構成タイマがタイムアウトすると、無線データ端末装置が第1の環境品質情報を取得し、データ伝送方式再構成タイマを使用して、第1の環境品質情報を取得する必要がある時間を決定することを含む。この場合、方法は、第1の環境品質情報を取得すると、無線データ端末装置がデータ伝送方式再構成タイマを再起動すること、または少なくとも2つの候補データ伝送方式から第1の環境品質情報に対応する第1のデータ伝送方式を決定すると、無線データ端末装置がデータ伝送方式再構成タイマを再起動することをさらに含む。
【００４４】
任意選択で、別の実施形態では、無線データ端末装置が第1の環境品質情報を取得することは、ユーザ機器から送信されたデータ伝送方式再構成要求を受信すると、無線データ端末装置が第1の環境品質情報を取得することを含む。
【００４５】
任意選択で、環境品質情報は、無線データ端末装置が位置する無線環境の品質を測定するために使用される関連情報である。環境品質情報は、サービスレート、基準信号受信電力（Reference Signal Receiving Power、略してRSRP）、受信信号コード電力（Receiving Signal Code Power、略してRSCP）、信号対干渉雑音比（Signal to Interference plus Noise Ratio、略してSINR）、サービス品質（Quality of Service、略してQoS）ネゴシエートレート、またはチャネル品質インジケータ（Channel Quality Indicator、略してCQI）のうちの少なくとも1つを含む。
【００４６】
任意選択で、無線データ端末装置は、ユニバーサルシリアルバス（Universal Serial Bus、略してUSB）インタフェースおよび／またはワイヤレスフィデリティ（Wireless Fidelity、略してWi−Fi）アクセスポイント（Access Point、略してAP）インタフェースを介してユーザ機器と通信することができる。
【００４７】
任意選択で、一実施形態では、無線データ端末がユーザ機器と通信するために第1のデータ伝送方式を使用することは、無線データ端末がUSBインタフェースを使用してユーザ機器と通信することを含む。この場合、少なくとも2つの候補データ伝送方式の各々は、高速インターネットプロトコル（Fast Internet Protocol、略してFast IP）を有効にするかどうかに関する指示、USB集約パケットサイズ、またはUSBパケット伝送タイムアウトタイマの閾値のうちの少なくとも1つのパラメータを含む。
【００４８】
任意選択で、別の実施形態では、無線データ端末がユーザ機器と通信するために第1のデータ伝送方式を使用することは、無線データ端末装置がWi−Fi APインタフェースを介してユーザ機器と通信することを含む。この場合、少なくとも2つの候補データ伝送方式の各々は、Fast IPを有効にするかどうかに関する指示、またはWi−Fi集約媒体アクセス制御（Medium Access Control、略してMAC）サービスデータユニット（Aggregate MAC Protocol Data Unit、略してAMPDU）のウィンドウサイズのうちの少なくとも一方のパラメータを含む。
【００４９】
また、無線データ端末装置が第1の環境品質情報を取得する前に、方法は、無線データ端末装置が起動し、ユーザ機器と通信するためにデフォルトのデータ伝送方式を使用することをさらに含み、デフォルトのデータ伝送方式は少なくとも2つの候補データ伝送方式に属する。
【００５０】
図2は、本発明の一実施形態によるデータ伝送方式を決定するための別の方法の概略フローチャートである。
【００５１】
201．無線データ端末装置が起動し、ユーザ機器と通信するためにデフォルトのデータ伝送方式を使用し、データ伝送方式再構成タイマを起動する。
【００５２】
202．無線データ端末装置は、データ伝送方式再構成タイマがタイムアウトすると、第1の環境品質情報を取得する。環境品質情報は、無線データ端末装置が位置する無線環境の品質を測定するために使用される関連情報である。環境品質情報は、サービスレート、RSRP、RSCP、SINR、ビットエラーレート、QoSネゴシエートレート、またはCQIのうちの少なくとも1つを含む。当業者であれば、サービスレートは、アップリンクレート、ダウンリンクレート、リアルタイムレート、またはサブスクライブレートのうちの1つまたは複数を含むことができることを理解されよう。サブスクライブレートは、無線データ端末装置がオペレータから適用するレートである。リアルタイムレートは、アップリンクレートおよびダウンリンクレートの最大値である。
【００５３】
当業者であれば、より多くの情報が環境品質情報に含まれれば、現在の無線環境品質をよりよく反映することができ、さらに適切なデータ伝送方式をより適切に選択できることを理解されよう。
【００５４】
203．無線データ端末装置は、少なくとも2つの候補データ伝送方式から、第1の環境品質情報に対応する第1のデータ伝送方式を決定し、少なくとも2つの候補データ伝送方式における各候補データ伝送は、ユーザ機器と通信するために使用されるパラメータを含み、少なくとも2つの候補データ伝送方式は、デフォルトのデータ伝送方式を含む。
【００５５】
表1は、4つの候補データ伝送方式を含む概略図である。
【００５６】
【表１Ａ】
0006755317.tif 000002
【表１Ｂ】
0006755317.tif 000003
【００５７】
No．1のデータ伝送方式は、デフォルトの伝送方式である。「デフォルト」は、無線インターネット装置により取得された無線環境品質情報がNo．2〜No．4のいずれの条件とも一致しない場合、無線環境品質情報が「デフォルト」条件と一致しているとみなされることを示す。
【００５８】
例えば、無線インターネット装置により取得された第1の環境品質情報は、ダウンリンクレートが100Mbpsより高く、RSRPが−80dBmより高く、サブスクライブレートがリアルタイムレートよりも高く、SINRが30dBよりも高く、CQIは12より大きい。この場合、無線インターネット装置は、第1の環境品質情報がNo．2のデータ伝送方式の条件に合致すると判断することができる。この場合、無線インターネット装置は、No．2のデータ伝送方式が第1のデータ伝送方式であると判断することができる。別の例では、無線インターネット装置により取得された第1の環境品質情報は、ダウンリンクレートが100Mbpsより低く、RSRが−80dBmより高く、サブスクライブレートがリアルタイムレートよりも高く、SINRは10dBより低く、CQIは5より大きい。この場合、無線インターネット装置は、第1の環境品質情報がNo．2〜No．4のデータ伝送方式のいずれの条件とも一致しないと判断することができる。この場合、無線インターネット装置は、No．1のデータ伝送方式が第1のデータ伝送方式であると判断することができる。
【００５９】
204．無線データ端末装置は、第1のデータ伝送方式が無線データ端末装置によって現在使用されているデータ伝送方式と同じであるかどうかを決定し、第1のデータ伝送方式が無線データ端末装置によって現在使用されているデータ伝送方式と同じである場合、現在使用されているデータ伝送方式を変更しないで維持する、または第1のデータ伝送方式が無線データ端末装置によって現在使用されているデータ伝送方式と異なる場合、ユーザ機器と通信するために第1のデータ伝送方式を使用する。
【００６０】
例えば、無線データ端末装置によって決定される第1のデータ伝送方式は、No．2のデータ伝送方式である。電源投入後に無線データ端末装置が使用するデータ伝送方式は、デフォルトのデータ伝送方式（すなわち、No．1のデータ伝送方式）である。この場合、第1のデータ伝送方式がデフォルトのデータ伝送方式と異なるため、無線データ端末装置は、ユーザ機器と通信するために第1のデータ伝送方式（すなわち、No．2のデータ伝送方式）を使用することを開始すると判断することができる。別の例では、無線データ端末装置によって決定される第1のデータ伝送方式は、No．1のデータ伝送方式である。この場合、第1のデータ伝送方式がデフォルトのデータ伝送方式であるため、無線データ端末装置は、現在使用されているデータ伝送方式を変更しないで維持することができる。
【００６１】
また、無線データ端末装置は、第1の環境品質情報を取得すると、データ伝送方式再構成タイマを再起動することができる。無線データ端末装置は、少なくとも2つの候補データ伝送方式から、第1の環境品質情報に対応する第1のデータ伝送方式を決定すると、データ伝送方式再構成タイマをさらに再起動することができる。このように、データ伝送方式タイマが再びタイムアウトすると、適切なデータ伝送方式が再選択され得る。データ伝送方式再構成タイマを使用して、第1の環境品質情報を取得する必要がある時間を決定する。データ伝送方式再構成タイマのタイミング時間が予め設定された時間を超過する場合、第1の環境品質情報を取得する必要があると判断される。当業者であれば、設計中にデータ伝送方式タイマを無線データ端末装置に固定してもよく、またはタイマのタイミング時間を要件に応じてユーザが手動で調整してもよいことを理解されよう。これは、本発明においては限定されない。
【００６２】
当業者であれば、表1が候補データ伝送方式の概略図に過ぎないことを理解されよう。無線データ端末装置とユーザ機器との間の通信のためのインタフェースは、USBインタフェースおよび／またはWi−Fi APインタフェースを含むことができる。無線データ端末装置がUSBインタフェースを介してのみユーザ機器と通信できる場合、候補データ伝送方式は、Fast IPを有効にするかどうかに関する指示、USB集約パケットサイズ、およびUSBパケット伝送タイムアウトタイマの閾値のみを含むことができる。無線データ端末装置がWi−Fi APインタフェースを介してのみユーザ機器と通信できる場合、データ伝送方式は、Fast IPを有効にするかどうかに関する指示およびWi−Fi AMPDUのウィンドウサイズをのみを含むことができる。無線データ端末装置がUSBインタフェースを介してユーザ機器と通信することができるか、またはWi−Fi APインタフェースを介してユーザ機器と通信することができる場合、データ伝送方式は、Fast IPを有効にするかどうかに関する指示、USB集約パケットサイズ、USBパケット伝送タイムアウトタイマの閾値、およびWi−Fi AMPDUのウィンドウサイズを含むことができる。また、当業者であれば、無線データ端末装置がUSBインタフェースを介してユーザ機器と通信することができるか、またはWi−Fi APインタフェースを介してユーザ機器と通信することができる場合、無線データ端末装置は、現在使用されているインタフェースを決定することによって、データ伝送方式の対応するオプションを調整することができることをさらに理解されよう。例えば、無線データ端末装置は、USBインタフェースがユーザ機器と通信するために現在使用されていると判断した場合、データ伝送方式を調整する必要があると判断すると、無線データ端末装置は、Fast IPを有効にするかどうかに関する指示、USB集約パケットサイズ、およびUSBパケット伝送タイムアウトタイマの閾値のみを調整する。無線データ端末装置は、Wi−Fi APインタフェースがユーザ機器と通信するために現在使用されていると判断した場合、データ伝送方式を調整する必要があると判断すると、無線データ端末装置は、Fast IPを有効にするかどうかに関する指示、およびWi−Fi AMPDUのウィンドウサイズのみを調整する。
【００６３】
図2に示す方法によれば、ユーザ機器にネットワークサービスを提供する場合、無線データ端末装置は、一定の時間間隔で現在の無線環境品質情報を取得し、現在の無線環境品質情報に応じて、ユーザ機器のためのネットワークサービスを提供するための適切なデータ伝送方式を選択することができる。したがって、ユーザ体験を向上させることができる。また、無線データ端末装置の性能も向上する。
【００６４】
例えば、無線データ端末装置の周辺環境が良くなる（例えば、無線データ端末装置の無線ネットワーク環境が良くなる）か、またはユーザ機器によって処理されるサービスの種類がネットワークアクセスに関するより高い要求を有する（例えば、ユーザ機器がウェブブラウジングから高精細ビデオのオンラインブラウジングに切り替わる）とき、無線データ端末装置は、現在の無線環境品質情報を取得することによって、No．1のデータ伝送方式からNo．2のデータ伝送方式にデータ伝送方式を調整することを決定することができる。この場合、USB集約パケットサイズまたはWi−Fi AMPDUのウィンドウサイズを拡大することができる。USB集約パケットまたはWi−Fi AMPDUのウィンドウが拡大した後、USBまたはWi−Fiパケットの伝送効率が向上する。また、高速データサービスにおける集約パケットが大きいため、無線データ端末装置の中央処理ユニット（Central Processing Unit、略してCPU）の負荷を軽減することもでき、無線データ端末装置の放熱および消費電力を低減することができる。また、高速サービスでFast IP技術を実現することによって、データパケットの伝送経路を短縮し、データパケットの伝送遅延を減少させ、最終的に無線データ端末装置の性能を向上させることができ、これによりユーザにとってより良いインターネットサービス体験を提供する。別の例では、無線データ端末装置の周辺環境が悪化する（例えば、無線データ端末装置の無線ネットワーク環境が悪化する）か、またはユーザ機器によって処理されるサービスの種類がネットワークアクセスに関するより低い要求を有する（例えば、ユーザ機器が高解像度ビデオのオンラインブラウジングからウェブブラウジングに切り替わる）。この場合、第2のデータ伝送方式が依然として使用されているのであれば、USB集約パケットが大きすぎるか、またはWi−Fi AMPDUウィンドウが大きすぎるため、高速集約を実行できない。さらに、USBパケット伝送タイマの閾値が大きすぎるため、データパケットはすべてUSBモジュールによってバッファされ、時間通りに送信されることはできない。この場合、データ伝送路全体の遅延が長く、したがって、無線データ端末装置の性能が低下する。したがって、現在の無線環境品質情報を取得するこ
とによって、無線データ端末は、No．2データ伝送方式からNo．4のデータ伝送方式にデータ伝送方式を調整するように決定することができる。このようにして、USB集約パケットサイズまたはWi−Fi AMPDUのウィンドウサイズを縮小することができ、USBパケット伝送タイマの閾値が低下し、したがって、前述の問題が解決され得る。
【００６５】
図3は、本発明の一実施形態によるデータ伝送方式を決定するための別の方法の概略フローチャートである。
【００６６】
301．無線データ端末装置が起動し、ユーザ機器と通信するためにデフォルトのデータ伝送方式を使用する。
【００６７】
302．無線データ端末装置は、ユーザ機器から送信されたデータ伝送方式再構成要求を受信すると、第1の環境品質情報を取得する。
【００６８】
環境品質情報は、無線データ端末装置が位置する無線環境の品質を測定するために使用される関連情報である。環境品質情報は、サービスレート、RSRP、RSCP、SINR、ビットエラーレート、QoSネゴシエートレート、またはCQIのうちの少なくとも1つを含む。当業者であれば、サービスレートは、アップリンクレート、ダウンリンクレート、リアルタイムレート、またはサブスクライブレートのうちの1つまたは複数を含むことができることを理解されよう。サブスクライブレートは、無線データ端末装置がオペレータから適用するレートである。リアルタイムレートは、アップリンクレートおよびダウンリンクレートの最大値である。
【００６９】
303．無線データ端末装置は、少なくとも2つの候補データ伝送方式から、第1の環境品質情報に対応する第1のデータ伝送方式を決定し、少なくとも2つの候補データ伝送方式における各候補データ伝送は、ユーザ機器と通信するために使用されるパラメータを含み、少なくとも2つの候補データ伝送方式は、デフォルトのデータ伝送方式を含む。
【００７０】
表2は、4つの候補データ伝送方式を含む概略図である。
【００７１】
【表２Ａ】
0006755317.tif 000004
【表２Ｂ】
0006755317.tif 000005
【００７２】
No．1のデータ伝送方式は、デフォルトの伝送方式である。「デフォルト」は、無線インターネット装置により取得された無線環境品質情報がNo．2〜No．4のいずれの条件とも一致しない場合、無線環境品質情報が「デフォルト」条件と一致しているとみなされることを示す。
【００７３】
例えば、無線インターネット装置により取得された第1の環境品質情報は、ダウンリンクレートが100Mbpsより高く、RSRPが−80dBmより高く、サブスクライブレートがリアルタイムレートよりも高く、SINRが30dBよりも高く、CQIは12より大きい。この場合、無線インターネット装置は、第1の環境品質情報がNo．2のデータ伝送方式の条件に合致すると判断することができる。この場合、無線インターネット装置は、No．2のデータ伝送方式が第1のデータ伝送方式であると判断することができる。別の例では、無線インターネット装置により取得された第1の環境品質情報は、ダウンリンクレートが100Mbpsより低く、RSRが−80dBmより高く、サブスクライブレートがリアルタイムレートよりも高く、SINRは10dBより低く、CQIは5より大きい。この場合、無線インターネット装置は、第1の環境品質情報がNo．2〜No．4のデータ伝送方式のいずれの条件とも一致しないと判断することができる。この場合、無線インターネット装置は、No．1のデータ伝送方式が第1のデータ伝送方式であると判断することができる。
【００７４】
304．無線データ端末装置は、第1のデータ伝送方式が無線データ端末装置によって現在使用されているデータ伝送方式と同じであるかどうかを決定し、第1のデータ伝送方式が無線データ端末装置によって現在使用されているデータ伝送方式と同じである場合、現在使用されているデータ伝送方式を変更しないで維持する、または第1のデータ伝送方式が無線データ端末装置によって現在使用されているデータ伝送方式と異なる場合、ユーザ機器と通信するために第1のデータ伝送方式を使用する。
【００７５】
例えば、無線データ端末装置によって決定される第1のデータ伝送方式は、No．2のデータ伝送方式である。電源投入後に無線データ端末装置が使用するデータ伝送方式は、デフォルトのデータ伝送方式（すなわち、No．1のデータ伝送方式）である。この場合、第1のデータ伝送方式がデフォルトのデータ伝送方式と異なるため、無線データ端末装置は、ユーザ機器と通信するために第1のデータ伝送方式（すなわち、No．2のデータ伝送方式）を使用することを開始すると判断することができる。別の例では、無線データ端末装置によって決定される第1のデータ伝送方式は、No．1のデータ伝送方式である。この場合、第1のデータ伝送方式がデフォルトのデータ伝送方式であるため、無線データ端末装置は、現在使用されているデータ伝送方式を変更しないで維持することができる。
【００７６】
図3に示す方法によれば、ネットワーク状態が悪いとユーザ機器に分かると、またはユーザ機器がデータ伝送方式を変更する必要があると判断すると、ユーザ機器は、無線データ端末装置に対して、データ伝送方式の調整を要求するためにデータ伝送方式再構成要求を送信することができる。この場合、無線データ端末装置は、現在の無線環境品質情報を取得し、現在の無線環境品質情報に基づいて、データ伝送方式を調整できるかどうかを判断することができる。
【００７７】
例えば、無線データ端末装置の周辺環境が良くなったことがユーザに分かった場合（例えば、無線データ端末装置の無線ネットワーク環境が良くなった場合）、またはユーザ機器によって処理されるサービスの種類がネットワークアクセスに関するより高い要件を有する場合（例えば、ユーザ機器がウェブブラウジングから高精細ビデオのオンラインブラウジングに切り替わる場合）、ユーザ機器は無線データ端末装置にデータ伝送方式を調整するよう要求することができる。現在の無線環境品質情報を取得することにより、無線データ端末装置は、現在の無線環境品質情報に基づいて、データ伝送方式を調整できるかどうかを判断することができる。例えば、無線データ端末装置は、No．1のデータ伝送方式からNo．2のデータ伝送方式にデータ伝送方式を調整することを決定することができる。この場合、USB集約パケットサイズまたはWi−Fi AMPDUのウィンドウサイズを拡大することができる。USB集約パケットまたはWi−Fi AMPDUのウィンドウが拡大した後、USBまたはWi−Fiパケットの伝送効率が向上する。また、高速データサービスにおける集約パケットが大きいため、無線データ端末装置の中央処理ユニット（Central Processing Unit、略してCPU）の負荷を軽減することもでき、無線データ端末装置の放熱および消費電力を低減することができる。また、高速サービスでFast IP技術を実現することによって、データパケットの伝送経路を短縮し、データパケットの伝送遅延を減少させ、最終的に無線データ端末装置の性能を向上させることができ、これによりユーザにとってより良いインターネットサービス体験を提供する。別の例として、ユーザは、無線データ端末装置の周辺環境が悪化する（例えば、無線データ端末装置の無線ネットワーク環境が悪化する）と分かるか、またはユーザ機器によって処理されるサービスの種類がより低いネットワークアクセスに関する要件を有する（例えば、ユーザ機器が高精細ビデオのオンラインブラウジングからウェブブラウジングに切り替わる）。この場合、第2のデータ伝送方式が依然として使用されているのであれば、USB集約パケットが大きすぎるか、またはWi−Fi AMPDUウィンドウが大きすぎるため、高速集約を実行できない。さらに、USBパケット伝送タイ
マの閾値が大きすぎるため、データパケットはすべてUSBモジュールによってバッファされ、時間通りに送信されることはできない。この場合、データ伝送路全体の遅延が長く、したがって、無線データ端末装置の性能が低下する。ユーザは、インターネットの品質が低いことが分かる。この場合、ユーザ機器は、無線データ端末装置にデータ伝送方式を調整するように要求することができる。現在の無線環境品質情報を取得することにより、無線データ端末装置は、現在の無線環境品質情報に基づいて、データ伝送方式を調整できるかどうかを判断することができる。例えば、現在の無線環境品質情報を取得することによって、無線データ端末装置は、No．2のデータ伝送方式からNo．4のデータ伝送方式にデータ伝送方式を調整するように決定することができる。このようにして、USB集約パケットサイズまたはWi−Fi AMPDUのウィンドウサイズを縮小することができ、USBパケット伝送タイマの閾値が低下し、したがって、前述の問題が解決され得る。ユーザ機器のインターネット体験を向上させることができる。
【００７８】
図4は、本発明の一実施形態による無線データ端末装置の構成ブロック図である。図4に示すように、無線データ端末装置400は、取得ユニット401と、決定ユニット402と、ユーザ向け通信ユニット403とを備える。
【００７９】
取得ユニット401は、無線データ端末装置400の第1の環境品質情報を取得するように構成される。
【００８０】
決定ユニット402は、少なくとも2つの候補データ伝送方式から、第1の環境品質情報に対応する第1のデータ伝送方式を決定するように構成され、少なくとも2つの候補データ伝送方式の各々は、ユーザ機器と通信するために使用されるパラメータを含む。
【００８１】
ユーザ向け通信ユニット403は、ユーザ機器と通信するために第1のデータ伝送方式を使用するように構成される。
【００８２】
図4に示すように、無線データ端末装置400は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【００８３】
任意選択で、一実施形態では、決定ユニット402は、第1のデータ伝送方式がユーザ向け通信ユニット403によって現在使用されているデータ伝送方式と同じであるかどうかを決定し、第1のデータ伝送方式がユーザ向け通信ユニット403によって現在使用されているデータ伝送方式と同じである場合、ユーザ向け通信ユニット403が現在使用されているデータ伝送方式を変更しないで維持すると決定し、または第1のデータ伝送方式がユーザ向け通信ユニット403によって現在使用されているデータ伝送方式と異なる場合、ユーザ向け通信ユニット403がユーザ機器と通信するために第1のデータ伝送方式を使用することを決定するようにさらに構成される。
【００８４】
任意選択で、別の実施形態では、決定ユニット402は、ユーザ向け通信ユニット403がユーザ機器と通信するために第1のデータ伝送方式を使用することを直接決定するようにさらに構成されてもよい。
【００８５】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【００８６】
任意選択で、一実施形態では、ユーザ向け通信ユニット403は、ユニバーサルシリアルバスUSBインタフェースユニットを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【００８７】
任意選択で、別の実施形態では、ユーザ向け通信ユニット403はWi−Fi APインタフェースユニットを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【００８８】
さらに、決定ユニット402は、無線データ端末が起動することを決定し、ユーザ向け通信ユニット403がユーザ機器と通信するためにデフォルトのデータ伝送方式を使用することを決定するようにさらに構成され、デフォルトのデータ伝送方式は少なくとも2つの候補データ伝送方式に属する。
【００８９】
図5は、本発明の一実施形態による他の無線データ端末装置の構成ブロック図である。図5に示すように、無線データ端末装置500は、取得ユニット501と、決定ユニット502と、ユーザ向け通信ユニット503と、データ伝送方式再構成タイミングユニット504とを備える。
【００９０】
取得ユニット501は、無線データ端末装置500の第1の環境品質情報を取得するように構成される。
【００９１】
具体的には、取得ユニット501は、データ伝送方式再構成タイミングユニット504がタイムアウトすると第1の環境品質情報を取得するように具体的に構成され、データ伝送方式再構成タイミングユニット504は、取得ユニット501が第1の環境品質情報を取得すると再起動する、または決定ユニット502が少なくとも2つの候補データ伝送方式から第1の環境品質情報に対応する第1のデータ伝送方式を決定すると再起動するように構成される。当業者であれば、データ伝送方式再構成タイミングユニット504のタイミング時間は、設計時に無線データ端末装置に固定されてもよいし、必要に応じてユーザが手動でタイミング時間を調整してもよいことを理解されよう。これは、本発明においては限定されない。
【００９２】
データ伝送方式再構成タイミングユニット504は、無線データ端末装置500の起動時にタイミングを開始するように構成される。
【００９３】
決定ユニット502は、少なくとも2つの候補データ伝送方式から、第1の環境品質情報に対応する第1のデータ伝送方式を決定するように構成され、少なくとも2つの候補データ伝送方式の各々は、ユーザ機器と通信するために使用されるパラメータを含む。
【００９４】
ユーザ向け通信ユニット503は、ユーザ機器と通信するために第1のデータ伝送方式を使用するように構成される。
【００９５】
任意選択で、一実施形態では、決定ユニット502は、第1のデータ伝送方式がユーザ向け通信ユニット503によって現在使用されているデータ伝送方式と同じであるかどうかを決定し、第1のデータ伝送方式がユーザ向け通信ユニット503によって現在使用されているデータ伝送方式と同じである場合、ユーザ向け通信ユニット503が現在使用されているデータ伝送方式を変更しないで維持すると決定し、または第1のデータ伝送方式がユーザ向け通信ユニット503によって現在使用されている伝送方式と異なる場合、ユーザ向け通信ユニット503がユーザ機器と通信するために第1のデータ伝送方式を使用することを決定するように具体的に構成される。
【００９６】
任意選択で、別の実施形態では、決定ユニット502は、ユーザ向け通信ユニット503がユーザ機器と通信するために第1のデータ伝送方式を使用することを直接決定するようにさらに構成されてもよい。
【００９７】
図5に示すように、無線データ端末装置500は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【００９８】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【００９９】
任意選択で、一実施形態では、ユーザ向け通信ユニット503は、USBインタフェースユニットを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【０１００】
任意選択で、別の実施形態では、ユーザ向け通信ユニット503はWi−Fi APインタフェースユニットを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【０１０１】
さらに、決定ユニット502は、無線データ端末が起動することを決定し、ユーザ向け通信ユニット503がユーザ機器と通信するためにデフォルトのデータ伝送方式を使用することを決定するようにさらに構成され、デフォルトのデータ伝送方式は少なくとも2つの候補データ伝送方式に属する。
【０１０２】
図6は、本発明の一実施形態による他の無線データ端末装置の構成ブロック図である。図6に示すように、装置600は、受信ユニット601と、取得ユニット602と、決定ユニット603と、ユーザ向け通信ユニット604とを備える。
【０１０３】
受信ユニット601は、ユーザ機器から送信されたデータ伝送方式再構成要求を受信するように構成される。
【０１０４】
取得ユニット602は、受信ユニット601がデータ伝送方式再構成要求を受信すると、第1の環境品質情報を取得するように構成される。
【０１０５】
決定ユニット603は、少なくとも2つの候補データ伝送方式から、第1の環境品質情報に対応する第1のデータ伝送方式を決定するように構成され、少なくとも2つの候補データ伝送方式の各々は、ユーザ機器と通信するために使用されるパラメータを含む。
【０１０６】
任意選択で、一実施形態では、決定ユニット603は、第1のデータ伝送方式がユーザ向け通信ユニット604によって現在使用されているデータ伝送方式と同じであるかどうかを決定し、第1のデータ伝送方式がユーザ向け通信ユニット604によって現在使用されているデータ伝送方式と同じである場合、ユーザ向け通信ユニット604が現在使用されているデータ伝送方式を変更しないで維持すると決定し、または第1のデータ伝送方式がユーザ向け通信ユニット604によって現在使用されている伝送方式と異なる場合、ユーザ向け通信ユニット604がユーザ機器と通信するために第1のデータ伝送方式を使用することを決定するように具体的に構成される。
【０１０７】
任意選択で、別の実施形態では、決定ユニット603は、ユーザ向け通信ユニット604がユーザ機器と通信するために第1のデータ伝送方式を使用することを直接決定するようにさらに構成されてもよい。
【０１０８】
ユーザ向け通信ユニット604は、ユーザ機器と通信するために第1のデータ伝送方式を使用するように構成される。
【０１０９】
図6に示すように、無線データ端末装置600は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【０１１０】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【０１１１】
任意選択で、一実施形態では、ユーザ向け通信ユニット604は、USBインタフェースユニットを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【０１１２】
任意選択で、別の実施形態では、ユーザ向け通信ユニット604はWi−Fi APインタフェースユニットを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【０１１３】
さらに、決定ユニット603は、無線データ端末が起動することを決定し、ユーザ向け通信ユニット604がユーザ機器と通信するためにデフォルトのデータ伝送方式を使用することを決定するようにさらに構成され、デフォルトのデータ伝送方式は少なくとも2つの候補データ伝送方式に属する。
【０１１４】
図7は、本発明の一実施形態による無線データ端末装置の構成ブロック図である。図7に示すように、無線データ端末装置700は、プロセッサ701と、ユーザ向け通信インタフェース702と、メモリ703とを含む。
【０１１５】
無線データ端末装置700内のコンポーネントは、バスシステム704を使用して一緒に結合される。バスシステム704は、データバスに加えて、電源バス、制御バス、およびステータス信号バスをさらに含む。しかしながら、明確な説明のために、種々のバスは図7にはバスシステム704として示されている。
【０１１６】
本発明の前述の実施形態によって開示された方法は、プロセッサ701に適用されてもよいし、プロセッサ701によって実現されてもよい。プロセッサ701は、集積回路チップであってもよく、信号処理能力を有していてもよい。実装プロセスにおいて、前述の方法の各ステップは、プロセッサ701内のハードウェアの統合論理回路またはソフトウェアの形態の命令を使用することによって完了されてもよい。プロセッサ701は、汎用プロセッサ、デジタル信号プロセッサ（Digital Signal Processor、DSP）、特定用途向け集積回路（Application Specific Integrated Circuit、ASIC）、フィールドプログラマブルゲートアレイ（Field Programmable Gate Array、FPGA）、または別のプログラマブル論理装置、個別のゲートもしくはトランジスタ論理装置、または個別のハードウェアコンポーネントであってもよい。プロセッサは、本発明の実施形態に開示された方法、ステップ、および論理ブロック図を実装または実行することができる。汎用プロセッサは、マイクロプロセッサであってもよい。あるいは、プロセッサは、任意の従来のプロセッサなどであってもよい。本発明の実施形態を参照して開示された方法のステップは、ハードウェア復号プロセッサによって直接実行および完了されてもよいし、復号プロセッサ内のハードウェアとソフトウェアモジュールの組み合わせを用いて実行および完了されてもよい。ソフトウェアモジュールを、ランダムアクセスメモリ（Random Access Memory、RAM）、フラッシュメモリ、読み出し専用メモリ（Read−Only Memory、ROM）、プログラマブル読み出し専用メモリ、電気的消去可能プログラマブルメモリ、またはレジスタなどの、当該技術分野で成熟した記憶媒体に配置することができる。記憶媒体は、メモリ703に配置される。プロセッサ701は、メモリ703内の命令を読み取り、プロセッサのハードウェアと組み合わせて前述の方法のステップを完了する。メモリ703は、少なくとも2つの候補データ伝送方式を格納するようにさらに構成されてもよい。
【０１１７】
プロセッサ701は、無線データ端末装置700の第1の環境品質情報を取得するように構成される。
【０１１８】
プロセッサ701は、少なくとも2つの候補データ伝送方式から、第1の環境品質情報に対応する第1のデータ伝送方式を決定するようにさらに構成され、少なくとも2つの候補データ伝送方式の各々は、ユーザ機器と通信するために使用されるパラメータを含む。
【０１１９】
ユーザ向け通信インタフェース702は、ユーザ機器と通信するために第1のデータ伝送方式を使用するように構成される。
【０１２０】
図7に示すように、無線データ端末装置700は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【０１２１】
任意選択で、一実施形態では、プロセッサ701は、第1のデータ伝送方式が、ユーザ向け通信インタフェース702によって現在使用されているデータ伝送方式と同じであるかどうかを決定し、第1のデータ伝送方式がユーザ向け通信インタフェース702によって現在使用されているデータ伝送方式と同じである場合、ユーザ向け通信インタフェース702が現在使用されているデータ伝送方式を変更しないで維持すると決定し、または第1のデータ伝送方式が、ユーザ向け通信インタフェース702によって現在使用されているデータ伝送方式と異なる場合、ユーザ向け通信インタフェース702がユーザ機器と通信するために第1のデータ伝送方式を使用することを決定するように具体的に構成される。
【０１２２】
任意選択で、別の実施形態では、プロセッサ701は、ユーザ向け通信インタフェース702がユーザ機器と通信するために第1のデータ伝送方式を使用することを直接決定するようにさらに構成されてもよい。
【０１２３】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【０１２４】
任意選択で、一実施形態では、ユーザ向け通信インタフェース702は、USBインタフェースを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【０１２５】
任意選択で、別の実施形態では、ユーザ向け通信インタフェース702はWi−Fi APインタフェースを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【０１２６】
さらに、プロセッサ701は、無線データ端末が起動することを決定し、ユーザ向け通信インタフェース702がユーザ機器と通信するためにデフォルトのデータ伝送方式を使用することを決定するようにさらに構成され、デフォルトのデータ伝送方式は少なくとも2つの候補データ伝送方式に属する。
【０１２７】
図8は、本発明の一実施形態による他の無線データ端末装置の構成ブロック図である。図8に示す装置は、図1〜図3に示す方法の各ステップを実行することができる。図8に示すように、無線データ端末装置800は、プロセッサ801と、ユーザ向け通信インタフェース802と、メモリ803とを含む。
【０１２８】
無線データ端末装置800内のコンポーネントは、バスシステム804を使用して一緒に結合される。バスシステム804は、データバスに加えて、電源バス、制御バス、およびステータス信号バスをさらに含む。しかしながら、明確な説明のために、種々のバスは図8にはバスシステム804として示されている。
【０１２９】
本発明の前述の実施形態によって開示された方法は、プロセッサ801に適用されてもよいし、プロセッサ801によって実現されてもよい。プロセッサ801は、集積回路チップであってもよく、信号処理能力を有してもよい。実装プロセスにおいて、前述の方法の各ステップは、プロセッサ801内のハードウェアの統合論理回路またはソフトウェアの形態の命令を使用することによって完了されてもよい。プロセッサ801は、汎用プロセッサ、デジタル信号プロセッサ（Digital Signal Processor、DSP）、特定用途向け集積回路（Application Specific Integrated Circuit、ASIC）、フィールドプログラマブルゲートアレイ（Field Programmable Gate Array、FPGA）、または別のプログラマブル論理装置、個別のゲートもしくはトランジスタ論理装置、または個別のハードウェアコンポーネントであってもよい。プロセッサは、本発明の実施形態に開示された方法、ステップ、および論理ブロック図を実装または実行することができる。汎用プロセッサは、マイクロプロセッサであってもよい。あるいは、プロセッサは、任意の従来のプロセッサなどであってもよい。本発明の実施形態を参照して開示された方法のステップは、ハードウェア復号プロセッサによって直接実行および完了されてもよいし、復号プロセッサ内のハードウェアとソフトウェアモジュールの組み合わせを用いて実行および完了されてもよい。ソフトウェアモジュールを、ランダムアクセスメモリ（Random Access Memory、RAM）、フラッシュメモリ、読み出し専用メモリ（Read−Only Memory、ROM）、プログラマブル読み出し専用メモリ、電気的消去可能プログラマブルメモリ、またはレジスタなどの、当該技術分野で成熟した記憶媒体に配置することができる。記憶媒体は、メモリ803に配置される。プロセッサ801はメモリ803内の命令を読み取り、プロセッサのハードウェアと組み合わせて前述の方法のステップを完了する。メモリ803は、少なくとも2つの候補データ伝送方式を格納するようにさらに構成されてもよい。
【０１３０】
無線データ端末装置800は、データ伝送方式再構成タイマ805をさらに含む。
【０１３１】
プロセッサ801は、無線データ端末装置800の第1の環境品質情報を取得するように構成される。
【０１３２】
具体的には、プロセッサ801は、データ伝送方式再構成タイマ805がタイムアウトすると第1の環境品質情報を取得し、データ伝送方式再構成タイマ805は、プロセッサ801が第1の環境品質情報を取得すると再起動する、またはプロセッサ801が少なくとも2つの候補データ伝送方式から第1の環境品質情報に対応する第1のデータ伝送方式を決定すると再起動するように構成される。当業者であれば、データ伝送方式再構成タイマ805のタイミング時間は、設計時に無線データ端末装置に固定されてもよいし、必要に応じてユーザが手動でタイミング時間を調整してもよいことを理解されよう。これは、本発明においては限定されない。
【０１３３】
また、データ伝送方式再構成タイマ805は、無線端末の起動時にタイミングを開始する。
【０１３４】
プロセッサ801は、少なくとも2つの候補データ伝送方式から、第1の環境品質情報に対応する第1のデータ伝送方式を決定するようにさらに構成され、少なくとも2つの候補データ伝送方式の各々は、ユーザ機器と通信するために使用されるパラメータを含む。
【０１３５】
ユーザ向け通信インタフェース802は、ユーザ機器と通信するために第1のデータ伝送方式を使用するように構成される。
【０１３６】
図8に示すように、無線データ端末装置800は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【０１３７】
任意選択で、一実施形態では、プロセッサ801は、第1のデータ伝送方式が、ユーザ向け通信インタフェース802によって現在使用されているデータ伝送方式と同じであるかどうかを決定し、第1のデータ伝送方式がユーザ向け通信インタフェース802によって現在使用されているデータ伝送方式と同じである場合、ユーザ向け通信インタフェース802が現在使用されているデータ伝送方式を変更しないで維持すると決定し、または第1のデータ伝送方式が、ユーザ向け通信インタフェース802によって現在使用されているデータ伝送方式と異なる場合、ユーザ向け通信インタフェース802がユーザ機器と通信するために第1のデータ伝送方式を使用することを決定するように具体的に構成される。
【０１３８】
任意選択で、別の実施形態では、プロセッサ801は、ユーザ向け通信インタフェース802がユーザ機器と通信するために第1のデータ伝送方式を使用することを直接決定するようにさらに構成されてもよい。
【０１３９】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【０１４０】
任意選択で、一実施形態では、ユーザ向け通信インタフェース802は、USBインタフェースを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【０１４１】
任意選択で、別の実施形態では、ユーザ向け通信インタフェース802はWi−Fi APインタフェースを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【０１４２】
さらに、プロセッサ801は、無線データ端末が起動することを決定し、ユーザ向け通信インタフェース802がユーザ機器と通信するためにデフォルトのデータ伝送方式を使用することを決定するようにさらに構成され、デフォルトのデータ伝送方式は少なくとも2つの候補データ伝送方式に属する。
【０１４３】
図9は、本発明の一実施形態による他の無線データ端末装置の構成ブロック図である。図9に示す装置は、図1〜図3に示す方法の各ステップを実行することができる。図9に示すように、無線データ端末装置900は、プロセッサ901と、ユーザ向け通信インタフェース902と、メモリ903とを含む。
【０１４４】
無線データ端末装置900内のコンポーネントは、バスシステム904を使用して一緒に結合される。バスシステム904は、データバスに加えて、電源バス、制御バス、およびステータス信号バスをさらに含む。しかしながら、明確な説明のために、種々のバスは図9にはバスシステム904として示されている。
【０１４５】
本発明の前述の実施形態によって開示された方法は、プロセッサ901に適用されてもよいし、プロセッサ901によって実現されてもよい。プロセッサ901は、集積回路チップであってもよく、信号処理能力を有してもよい。実装プロセスにおいて、前述の方法の各ステップは、プロセッサ901内のハードウェアの統合論理回路またはソフトウェアの形態の命令を使用することによって完了されてもよい。プロセッサ901は、汎用プロセッサ、デジタル信号プロセッサ（Digital Signal Processor、DSP）、特定用途向け集積回路（Application Specific Integrated Circuit、ASIC）、フィールドプログラマブルゲートアレイ（Field Programmable Gate Array、FPGA）、または別のプログラマブル論理装置、個別のゲートもしくはトランジスタ論理装置、または個別のハードウェアコンポーネントであってもよい。プロセッサは、本発明の実施形態に開示された方法、ステップ、および論理ブロック図を実装または実行することができる。汎用プロセッサは、マイクロプロセッサであってもよい。あるいは、プロセッサは、任意の従来のプロセッサなどであってもよい。本発明の実施形態を参照して開示された方法のステップは、ハードウェア復号プロセッサによって直接実行および完了されてもよいし、復号プロセッサ内のハードウェアとソフトウェアモジュールの組み合わせを用いて実行および完了されてもよい。ソフトウェアモジュールを、ランダムアクセスメモリ（Random Access Memory、RAM）、フラッシュメモリ、読み出し専用メモリ（Read−Only Memory、ROM）、プログラマブル読み出し専用メモリ、電気的消去可能プログラマブルメモリ、またはレジスタなどの、当該技術分野で成熟した記憶媒体に配置することができる。記憶媒体は、メモリ903に配置される。プロセッサ901は、メモリ903内の命令を読み取り、プロセッサのハードウェアと組み合わせて前述の方法のステップを完了する。メモリ903は、少なくとも2つの候補データ伝送方式を記憶するようにさらに構成されてもよい。
【０１４６】
無線データ端末装置900は、トランシーバ回路905をさらに含む。
【０１４７】
トランシーバ回路905は、ユーザ機器から送信されたデータ伝送方式再構成要求を受信するように構成される。
【０１４８】
プロセッサ901は、トランシーバ回路905がデータ伝送方式再構成要求を受信すると、無線データ端末装置900の第1の環境品質情報を取得するように具体的に構成される。
【０１４９】
プロセッサ901は、少なくとも2つの候補データ伝送方式から、第1の環境品質情報に対応する第1のデータ伝送方式を決定するようにさらに構成され、少なくとも2つの候補データ伝送方式の各々は、ユーザ機器と通信するために使用されるパラメータを含む。
【０１５０】
ユーザ向け通信インタフェース902は、ユーザ機器と通信するために第1のデータ伝送方式を使用するように構成される。
【０１５１】
図9に示すように、無線データ端末装置900は、ユーザ機器と通信するために無線環境品質に応じた適切なデータ伝送方式を選択することができる。この場合、無線データ端末装置は、異なる無線環境品質に応じてデータ伝送方式を調整することができるので、より良いネットワークサービスをユーザ機器に提供することができる。また、無線データ端末装置の性能も向上する。
【０１５２】
任意選択で、一実施形態では、プロセッサ901は、第1のデータ伝送方式が、ユーザ向け通信インタフェース902によって現在使用されているデータ伝送方式と同じであるかどうかを決定し、第1のデータ伝送方式がユーザ向け通信インタフェース902によって現在使用されているデータ伝送方式と同じである場合、ユーザ向け通信インタフェース902が現在使用されているデータ伝送方式を変更しないで維持すると決定し、または第1のデータ伝送方式が、ユーザ向け通信インタフェース902によって現在使用されているデータ伝送方式と異なる場合、ユーザ向け通信インタフェース902がユーザ機器と通信するために第1のデータ伝送方式を使用することを決定するように具体的に構成される。
【０１５３】
任意選択で、別の実施形態では、プロセッサ901は、ユーザ向け通信インタフェース902がユーザ機器と通信するために第1のデータ伝送方式を使用することを直接決定するようにさらに構成されてもよい。
【０１５４】
任意選択で、無線環境品質情報は、サービスレート、基準信号受信電力RSRP、受信信号コード電力RSCP、信号対干渉雑音比SINR、ビットエラーレート、サービス品質QoSネゴシエートレート、またはチャネル品質インジケータCQIのうちの少なくとも1つを含む。
【０１５５】
任意選択で、一実施形態では、ユーザ向け通信インタフェース902は、USBインタフェースを含む。この場合、少なくとも2つの候補データ伝送方式の各々は、Fast IPを有効にするかどうかに関する指示、USB集約パケットサイズ、またはUSBパケット伝送タイムアウトタイマの閾値のうちの少なくとも1つのパラメータを含む。
【０１５６】
任意選択で、別の実施形態では、ユーザ向け通信インタフェース902はWi−Fi APインタフェースを含む。この場合、少なくとも2つの候補データ伝送方式の各々は、Fast IPを有効にするかどうかに関する指示、またはWi−Fi AMPDUのウィンドウサイズのうちの少なくとも一方のパラメータを含む。
【０１５７】
さらに、プロセッサ901は、無線データ端末が起動することを決定し、ユーザ向け通信インタフェース902がユーザ機器と通信するためにデフォルトのデータ伝送方式を使用することを決定するようにさらに構成され、デフォルトのデータ伝送方式は少なくとも2つの候補データ伝送方式に属する。
【０１５８】
当業者であれば、本明細書で開示された実施形態で説明した例との組み合わせで、ユニットやアルゴリズムステップが、電子ハードウェア、またはコンピュータソフトウェアと電子ハードウェアの組み合わせによって実施され得ることを認識することができる。機能がハードウェアまたはソフトウェアによって実行されるかどうかは、特定のアプリケーションおよび技術的解決策の設計制約条件に依存している。当業者は、特定の各アプリケーションのために説明した機能を実装するために異なる方法を使用することができるが、実装が本発明の範囲外であると考えられるべきではない。
【０１５９】
前述のシステム、装置、およびユニットの詳細な作動プロセスのための、簡便な説明の目的で、前述の方法の実施形態に対応するプロセスが参照され得ることは、当業者であれば明確に理解することができ、詳細はここでは再度説明しない。
【０１６０】
本出願で提供されるいくつかの実施形態では、開示されたシステム、装置、および方法は、他の方法で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電子的に、機械的に、または他の形式で実現されてもよい。
【０１６１】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択され得る。
【０１６２】
また、本発明の実施形態における機能ユニットは、1つの処理ユニットに組み込まれてもよく、または各ユニットは、単独で、物理的に存在してもよく、または2つ以上のユニットが1つのユニットに統合される。
【０１６３】
機能が、ソフトウェア機能ユニットの形態で実装され、独立した製品として販売または使用される場合、機能は、コンピュータ読み取り可能な記憶媒体に格納され得る。このような理解に基づいて、基本的に本発明の技術的解決策、または従来技術に寄与する部分、または技術的解決策のいくつかは、ソフトウェア製品の形態で実現され得る。ソフトウェア製品は、記憶媒体に格納され、本発明の実施形態に記載の方法のステップのすべてまたは一部を実行するために、コンピュータ装置（パーソナルコンピュータ、サーバ、またはネットワーク装置であってもよい）またはプロセッサ（processor）を指示するためのいくつかの命令を含む。前述の記憶媒体は：例えば、USBフラッシュドライブ、リムーバブルハードディスク、読み取り専用メモリ（ROM、Read−Only Memory）、ランダムアクセスメモリ（RAM、Random Access Memory）、磁気ディスク、または光ディスクなどの、プログラムコードを格納することができる任意の媒体を含む。
【０１６４】
前述の説明は、本発明の単なる特定の実施形態であり、本発明の保護範囲を限定することを意図されていない。本発明で開示された技術的範囲内で当業者が容易に考え出す任意の変化または置換は、本発明の保護範囲内に入るものとする。したがって、本発明の保護範囲は、特許請求の範囲の保護範囲に従うものとする。
【符号の説明】
【０１６５】
400  無線データ端末装置
401  取得ユニット
402  決定ユニット
403  ユーザ向け通信ユニット
500  無線データ端末装置
501  取得ユニット
502  決定ユニット
503  ユーザ向け通信ユニット
504  データ伝送方式再構成タイミングユニット
600  無線データ端末装置
601  受信ユニット
602  取得ユニット
603  決定ユニット
604  ユーザ向け通信ユニット
700  無線データ端末装置
701  プロセッサ
702  ユーザ向け通信インタフェース
703  メモリ
704  バスシステム
800  無線データ端末装置
801  プロセッサ
802  ユーザ向け通信インタフェース
803  メモリ
804  バスシステム
805  データ伝送方式再構成タイマ
900  無線データ端末装置
901  プロセッサ
902  ユーザ向け通信インタフェース
903  メモリ
904  バスシステム
905  トランシーバ回路
【図１】
0006755317.tif 000006
【図２】
0006755317.tif 000007
【図３】
0006755317.tif 000008
【図４】
0006755317.tif 000009
【図５】
0006755317.tif 000010
【図６】
0006755317.tif 000011
【図７】
0006755317.tif 000012
【図８】
0006755317.tif 000013
【図９】
0006755317.tif 000014